(57)【要約】      （修正有）【課題】脈拍数計測装置にユーザ名を入力することなく、この脈拍数計測装置から受信した脈拍数データおよびユーザ識別用情報を、生体情報管理装置に容易に入力可能とした生体情報管理装置、制御方法および制御プログラムを提供すること。【解決手段】ユーザ識別用情報を受信した場合、ＣＰＵ３１が受信したユーザ識別用情報と記憶装置３５に記憶されたユーザ識別用情報とを比較し、この比較結果に基づいて受信したユーザ識別用情報に対応するユーザとして推定されるユーザ候補者を記憶装置３５から抽出する。【選択図】図２
2008167893.tif 000002
【特許請求の範囲】
【請求項１】
生体情報計測装置で計測されたユーザの生体情報、及び、前記生体情報計測装置に入力されたユーザを識別するためのユーザ識別用情報を受信する受信部と、この受信した生体情報及びユーザ識別用情報をユーザに対応づけて記憶する記憶部とを備え、
前記受信部がユーザ識別用情報を受信した場合、この受信したユーザ識別用情報と前記記憶部に記憶されたユーザ識別用情報である記憶済ユーザ識別情報とを比較する比較部と、比較結果に基づいて前記受信したユーザ識別用情報に対応するユーザとして推定されるユーザ候補者を前記記憶部から抽出する抽出部とを備えることを特徴とする生体情報管理装置。
【請求項２】
前記抽出されたユーザ候補者を表示する表示部と、この表示されたユーザ候補者の中からいずれかを選択させる選択部と、この選択されたユーザ候補者に対応づけて、前記受信した生体情報を前記記憶部に記憶させる記憶制御部とを備えることを特徴とする請求項１に記載の生体情報管理装置。
【請求項３】
前記ユーザ候補者が複数抽出された場合には、前記比較結果に基づいて、前記受信したユーザ識別用情報と前記記憶済ユーザ識別情報との適合度が高い順に、当該ユーザ候補者を前記表示部に表示させる表示制御部を備えることを特徴とする請求項２に記載の生体情報管理装置。
【請求項４】
前記抽出されたユーザ候補者に関する情報を出力する出力部を備えたことを特徴とする請求項１乃至３のいずれかに記載の生体情報管理装置。
【請求項５】
前記抽出部は、前記ユーザ識別用情報として受信した性別、年齢、身長、体重のうち、少なくとも性別及び年齢に関する比較結果に基づいて、前記ユーザ候補者を抽出することを特徴とする請求項１乃至４のいずれかに記載の生体情報管理装置。
【請求項６】
前記比較部は、前記受信したユーザ識別用情報と前記記憶済ユーザ識別情報とを比較する場合、時間経過に伴う変化が少ないと考えられる順に比較することを特徴とする請求項１乃至５のいずれかに記載の生体情報管理装置。
【請求項７】
前記比較部は、前記受信したユーザ識別用情報と前記記憶部に記憶されたユーザ識別用情報とを比較する場合、時間経過に伴う変化が少ないと考えられる性別→年齢→身長あるいは体重の順に比較することを特徴とする請求項１乃至６のいずれかに記載の生体情報管理装置。
【請求項８】
前記比較部は、前記身長あるいは前記体重を比較するに際し、前回の計測日からの経過時間および前記ユーザの年齢に基づいて、前記ユーザ候補者として判別する際の条件を変更することを特徴とする請求項７に記載の生体情報管理装置。
【請求項９】
前記比較部は、前記身長あるいは前記体重を比較するに際し、
前回の計測日からの経過時間が所定日数以内であり、かつ、前記ユーザの年齢が所定年齢以下である場合の前記条件である前記身長の変化範囲を身長基準変化範囲とし、前記体重の変化範囲を体重基準変化範囲とし、
前回の計測日からの経過時間が所定日数以内であり、かつ、前記ユーザの年齢が所定年齢を超えている場合に、前記ユーザ候補者として判別する際の、前記身長の変化範囲を前記身長基準範囲より小さく設定し、前記体重の変化範囲を前記体重基準変化範囲より小さく設定することを特徴とする請求項８に記載の生体情報管理装置。
【請求項１０】
前記比較部は、前記身長あるいは前記体重を比較するに際し、
前回の計測日からの経過時間が所定日数以内であり、かつ、前記ユーザの年齢が所定年齢以下である場合の前記条件である前記身長の変化範囲を身長基準変化範囲とし、前記体重の変化範囲を体重基準変化範囲とし、
前回の計測日からの経過時間が所定日数を超え、かつ、前記ユーザの年齢が所定年齢以下である場合に、前記ユーザ候補者として判別する際の、前記身長の変化範囲を前記身長基準範囲より大きく設定し、前記体重の変化範囲を前記体重基準変化範囲より大きく設定することを特徴とする請求項８に記載の生体情報管理装置。
【請求項１１】
前記比較部は、前記身長あるいは前記体重を比較するに際し、
前回の計測日からの経過時間が所定日数以内であり、かつ、前記ユーザの年齢が所定年齢以下である場合の前記条件である前記身長の変化範囲を身長基準変化範囲とし、前記体重の変化範囲を体重基準変化範囲とし、
前回の計測日からの経過時間が所定日数を超え、かつ、前記ユーザの年齢が所定年齢を超えている場合に、前記体重の変化範囲を前記体重基準変化範囲より大きく設定することを特徴とする請求項８に記載の生体情報管理装置。
【請求項１２】
前記記憶制御部は、前記受信したユーザ識別用情報に基づいて、前記記憶済ユーザ識別用情報を更新して記憶させることを特徴とする請求項１乃至１１のいずれかに記載の生体情報管理装置。
【請求項１３】
生体情報計測装置で計測されたユーザの生体情報、及び、前記生体情報計測装置に入力されたユーザを識別するためのユーザ識別用情報を受信する受信部と、この受信した生体情報及びユーザ識別用情報をユーザに対応づけて記憶する記憶部とを備える生体情報管理装置の制御方法において、
ユーザ識別用情報を受信した場合、この受信したユーザ識別用情報と前記記憶部に記憶されたユーザ識別用情報である記憶済ユーザ識別情報とを比較し、この比較結果に基づいて前記受信したユーザ識別用情報に対応するユーザとして推定されるユーザ候補者を前記記憶部から抽出することを特徴とする生体情報管理装置の制御方法。
【請求項１４】
生体情報計測装置で計測されたユーザの生体情報、及び、前記生体情報計測装置に入力されたユーザを識別するためのユーザ識別用情報を受信する受信部と、この受信した生体情報及びユーザ識別用情報をユーザに対応づけて記憶する記憶部とを備える生体情報管理装置をコンピュータによって制御するための制御プログラムにおいて、
ユーザ識別用情報を受信した場合、この受信したユーザ識別用情報と前記記憶部に記憶されたユーザ識別用情報である記憶済ユーザ識別情報とを比較させ、この比較結果に基づいて前記受信したユーザ識別用情報に対応するユーザとして推定されるユーザ候補者を前記記憶部から抽出させることを特徴とする制御プログラム。
【発明の詳細な説明】
【技術分野】
【０００１】
本発明は、生体情報計測装置から受信した生体情報およびユーザ識別用情報をユーザに対応づけて管理する生体情報管理装置、生体情報管理装置の制御方法および制御プログラムに関する。
【背景技術】
【０００２】
従来、多数の患者（ユーザ）を保有するリハビリ施設では、例えば、心臓リハビリにおいて適切な運動負荷をかける為、その指針となる脈拍数（生体情報）を計測する携帯型の脈拍数計測装置（生体情報計測装置）が用いられている。この種の脈拍数計測装置で計測された脈拍数は、患者の症状の経過を把握するために、生体情報管理装置に送信されて、この生体情報管理装置でユーザに対応づけて管理されている（例えば、特許文献１参照）。
【特許文献１】特開２００５−３８３６６号公報
【発明の開示】
【発明が解決しようとする課題】
【０００３】
ところで、脈拍数計測装置で計測された脈拍数データを生体情報管理装置に転送した場合、この転送された脈拍数データには、この脈拍数データに対応するユーザ名が付加されていなかったため、これを管理する情報管理者は転送された脈拍数データが誰のものであるかを都度確認して入力する必要があり、入力作業が煩雑となるといった問題がある。
これを解消するためには、脈拍数データに、この脈拍数データに対応するユーザ名を付加すれば良い。しかしながら、脈拍数計測装置は携帯型の機器であるため、ユーザ名を入力するのが困難であった。また、ユーザ名を入力した場合には、このユーザ名が脈拍数データとともに脈拍数計測装置に記憶されるため、個人情報の保護が十分に図れない恐れがあった。
そこで、本発明の目的は、脈拍数計測装置にユーザ名を入力することなく、この脈拍数計測装置から受信した脈拍数データおよびユーザ識別用情報を、生体情報管理装置に容易に入力可能とした生体情報管理装置、制御方法および制御プログラムを提供することにある。
【課題を解決するための手段】
【０００４】
上記課題を達成するため、本発明は、生体情報計測装置で計測されたユーザの生体情報、及び、前記生体情報計測装置に入力されたユーザのユーザ識別用情報を受信する受信部と、この受信した生体情報及びユーザ識別用情報をユーザに対応づけて記憶する記憶部とを備え、前記受信部がユーザ識別用情報を受信した場合、この受信したユーザ識別用情報と前記記憶部に記憶されたユーザ識別用情報である記憶済ユーザ識別情報とを比較する比較部と、比較結果に基づいて前記受信したユーザ識別用情報に対応するユーザとして推定されるユーザ候補者を前記記憶部から抽出する抽出部とを備えることを特徴とする。
この構成によれば、生体情報計測装置にユーザ名を入力することなく、この生体情報計測装置から受信した生体情報およびユーザ識別用情報を、容易に生体情報管理装置に入力できる。
【０００５】
この場合において、前記抽出されたユーザ候補者を表示する表示部と、この表示されたユーザ候補者の中からいずれかを選択させる選択部と、この選択されたユーザ候補者に対応づけて、前記受信した生体情報を前記記憶部に記憶させる記憶制御部とを備える構成としても良い。この構成によれば、ユーザ候補者の中からいずれかを選択すれば良いため、別のユーザを誤って選択することが少なくなり、ひいては、生体情報計測装置から生体情報を生体情報管理装置に転送する場合に、この転送されたデータを別のユーザに入力するといった誤操作を抑制でき、入力作業の簡素化を図ることができる。
【０００６】
さらに、前記ユーザ候補者が複数抽出された場合には、前記比較結果に基づいて、前記受信したユーザ識別用情報と前記記憶済ユーザ識別情報との適合度が高い順に、当該ユーザ候補者を前記表示部に表示させる表示制御部を備える構成としても良い。この構成によれば、ユーザ候補者の中からユーザをより正確に選択することが可能となる。
【０００７】
また、前記抽出されたユーザ候補者に関する情報を出力する出力部を備える構成としても良い。
上記構成によれば、ユーザ候補者に関する情報を印刷物などとして確実に把握することができる。
また、前記抽出部は、前記ユーザ識別用情報として受信した性別、年齢、身長、体重のうち、少なくとも性別及び年齢に関する比較結果に基づいて、前記ユーザ候補者を抽出する構成としても良い。この構成によれば、ユーザ候補者を抽出するために生体情報計測装置に特別な情報を入力する必要が無く、入力作業を簡素化できる。
【０００８】
また、前記比較部は、前記受信したユーザ識別用情報と前記記憶済ユーザ識別用情報とを比較する場合、時間経過に伴う変化が少ないと考えられる順に比較する構成としても良い。この構成によれば、比較する際の処理を高速に行うことができる。
また、前記比較部は、前記受信したユーザ識別用情報と前記記憶部に記憶されたユーザ識別用情報とを比較する場合、時間経過に伴う変化が少ないと考えられる性別→年齢→身長あるいは体重の順に比較する構成としても良い。この構成によれば、より迅速に比較処理を行うことができる。
また、前記比較部は、前記身長あるいは前記体重を比較するに際し、前回の計測日からの経過時間および前記ユーザの年齢に基づいて、前記ユーザ候補者として判別する際の条件を変更する構成としてもよい。この構成によれば、身長の伸びやすい時期、体重の増減しやすい時期に応じてより確実に比較処理を行って、ユーザ候補者を抽出することが可能となる。
また、前記比較部は、前記身長あるいは前記体重を比較するに際し、前回の計測日からの経過時間が所定日数以内であり、かつ、前記ユーザの年齢が所定年齢以下である場合の前記条件である前記身長の変化範囲を身長基準変化範囲とし、前記体重の変化範囲を体重基準変化範囲とし、前回の計測日からの経過時間が所定日数以内であり、かつ、前記ユーザの年齢が所定年齢を超えている場合に、前記ユーザ候補者として判別する際の、前記身長の変化範囲を前記身長基準範囲より小さく設定し、前記体重の変化範囲を前記体重基準変化範囲より小さく設定する構成としても良い。
上記構成によれば、前回の計測日からの経過時間が所定日数以内であり、かつ、ユーザの年齢が所定年齢を超えている場合には、経過時間的にも変化が少ないと考えられ、身体的な成長などをあまり考慮する必要がないので、これらを考慮してより確実にユーザ候補者を抽出することができる。
また、前記比較部は、前記身長あるいは前記体重を比較するに際し、前回の計測日からの経過時間が所定日数以内であり、かつ、前記ユーザの年齢が所定年齢以下である場合の前記条件である前記身長の変化範囲を身長基準変化範囲とし、前記体重の変化範囲を体重基準変化範囲とし、前回の計測日からの経過時間が所定日数を超え、かつ、前記ユーザの年齢が所定年齢以下である場合に、前記ユーザ候補者として判別する際の、前記身長の変化範囲を前記身長基準範囲より大きく設定し、前記体重の変化範囲を前記体重基準変化範囲より大きく設定する構成としても良い。
上記構成によれば、前回の計測日からの経過時間が所定日数を超えており、かつ、ユーザの年齢が所定年齢以下である場合には、経過時間的な変化および身体的成長の双方を考慮する必要があるので、比較的変化の大きな身長および体重の双方を考慮してより確実にユーザ候補者を抽出することができる。
また、前記比較部は、前記身長あるいは前記体重を比較するに際し、前回の計測日からの経過時間が所定日数以内であり、かつ、前記ユーザの年齢が所定年齢以下である場合の前記条件である前記身長の変化範囲を身長基準変化範囲とし、前記体重の変化範囲を体重基準変化範囲とし、前回の計測日からの経過時間が所定日数を超え、かつ、前記ユーザの年齢が所定年齢を超えている場合に、前記体重の変化範囲を前記体重基準変化範囲より大きく設定する構成としても良い。
上記構成によれば、前回の計測日からの経過時間が所定日数を超えており、かつ、ユーザの年齢が所定年齢を超えている場合には、経過時間的な変化のみを考慮すればよいので、比較的変化の大きな体重を考慮してより確実にユーザ候補者を抽出することができる。
また、前記記憶制御部は、前記受信したユーザ識別用情報に基いて、前記記憶済ユーザ識別用情報を更新して記憶させる構成としても良い。
上記構成によれば、常に記憶済みユーザ識別用情報を最新の状態としておくことができ、より確実にユーザ候補者を抽出することができる。
【０００９】
また、本発明は、生体情報計測装置で計測されたユーザの生体情報、及び、前記生体情報計測装置に入力されたユーザを識別するためのユーザ識別用情報を受信する受信部と、この受信した生体情報及びユーザ識別用情報をユーザに対応づけて記憶する記憶部とを備える生体情報管理装置の制御方法において、ユーザ識別用情報を受信した場合、この受信したユーザ識別用情報と前記記憶部に記憶されたユーザ識別用情報である記憶済ユーザ識別情報とを比較し、この比較結果に基づいて前記受信したユーザ識別用情報に対応するユーザとして推定されるユーザ候補者を前記記憶部から抽出することを特徴とする。
また、本発明は、生体情報計測装置で計測されたユーザの生体情報、及び、前記生体情報計測装置に入力されたユーザを識別するためのユーザ識別用情報を受信する受信部と、この受信した生体情報及びユーザ識別用情報をユーザに対応づけて記憶する記憶部とを備える生体情報管理装置をコンピュータによって制御するための制御プログラムにおいて、ユーザ識別用情報を受信した場合、この受信したユーザ識別用情報と前記記憶部に記憶されたユーザ識別用情報である記憶済ユーザ識別情報とを比較させ、この比較結果に基づいて前記受信したユーザ識別用情報に対応するユーザとして推定されるユーザ候補者を前記記憶部から抽出させることを特徴とする。
【発明の効果】
【００１０】
本発明によれば、生体情報計測装置にユーザ名等の個人情報を入力することなく、この生体情報計測装置から受信した生体情報およびユーザ識別用情報を、容易に生体情報管理装置に入力できる。
【発明を実施するための最良の形態】
【００１１】
以下、図面を参照して本発明の実施の形態について説明する。
図１は、本実施形態に係る生体情報管理システム１００の構成を示す図である。
この生体情報管理システム１００は、生体情報として脈拍数を計測する脈拍数計測装置（生体情報検出装置）１と、計測された脈拍数およびこの脈拍数に基いて算出された消費カロリをユーザ識別用情報（例えば、性別、年齢、身長、体重等）とともに受信し、ユーザに対応付けて管理するコンピュータ（生体情報管理装置）２１とを備えて構成されている。脈拍数計測装置１は、専用のクレードル２０を介して、インターネットやローカルエリアネットワーク（ＬＡＮ）等のネットワーク２３に接続され、このネットワーク２３を介して上記コンピュータ２１に接続可能とされている。また、このコンピュータ２１には、複数台の脈拍数計測装置１の接続が可能に構成されている。
本実施形態では、ネットワーク２３を介して脈拍数計測装置１をコンピュータ２１に接続する構成について説明しているが、この脈拍数計測装置１を専用のクレードル２０を介して、コンピュータ２１に直接接続することも可能である。
【００１２】
図２は、コンピュータ２１の概要構成を示すブロック図である。
コンピュータ２１は、このコンピュータ２１全体を制御するためのＣＰＵ３１と、制御プログラムを含む各種データを予め記憶するＲＯＭ３２と、各種データを一時的に格納するＲＡＭ３３と、脈拍数計測装置１もしくはネットワーク２３との間にインタフェース動作を行う受信部としてのインタフェース部３４と、生体情報およびユーザ識別用情報のデータベース（ＤＢ）が構築される記憶部としての記憶装置３５と、生体情報管理者が各種情報を入力するための入力部３６と、各種情報を印刷等の手段で出力する出力部３７と、各種情報を表示する表示部３８とを備えている。
本実施形態では、ＣＰＵ３１は、インタフェース部３４で受信したユーザ識別用情報と記憶装置３５に記憶されたユーザ識別用情報とを比較する比較部として機能する。また、ＣＰＵ３１は、上記ユーザ識別用情報の比較結果に基づいて、受信したユーザ識別用情報に対応するユーザとして推定されるユーザ候補者を記憶装置３５から抽出する抽出部として機能する。さらに、ＣＰＵ３１は、表示部３８に表示されたユーザ候補者の中からいずれかを、入力部３６を介して情報管理者に選択させる選択部、表示部３８にユーザ候補者を表示させる表示制御部および選択されたユーザ候補者に対応づけて、受信した生体情報を記憶装置３５に記憶させる記憶制御部として機能する。
【００１３】
図３は、脈拍数計測装置の使用状態における外観説明図である。ここで、脈拍数計測装置１は、腕時計形とされ、腕時計における３時−９時方向が、腕の延在方向の軸に沿った状態で装着されているものとする。
脈拍数計測装置１は、図３に示すように、入力スイッチであるスイッチＳ１，Ｓ３１，Ｓ３２，Ｓ４を有した腕時計形の装置本体２と、この装置本体２に設けられ、腕時計における１２時方向からユーザの腕に巻きつけられて６時−１２時方向で固定されるリストバンド３と、ユーザの小指あるいは薬指（図１では、小指）に装着され、ユーザの生体情報を検出する生体センサユニット４とを有している。
【００１４】
装置本体２と生体センサユニット４とは、装置本体２の外周面から延出したケーブル５を介して接続され、これらの間で各種信号の送受信が可能な構成となっている。なお、装置本体２とリストバンド３は、一体構造であってもよい。
また、スイッチＳ１，Ｓ３１，Ｓ３２，Ｓ４は、装置本体２の外周面から突設されている。これらスイッチＳ１，Ｓ３１，Ｓ３２，Ｓ４は、押圧式の機機接点式を用いているが、静電式や、メンブレン電極を用いたタッチ式スイッチでもよい。
【００１５】
図４は、脈拍数計測装置の装置本体の外観正面図である。
図４に示すように、装置本体２の正面に形成された正面部１５には、各種情報が表示される表示部６が形成され、この表示部６の周辺には、上記スイッチＳ１，Ｓ３１，Ｓ３２，Ｓ４にそれぞれ対応する位置に、当該スイッチＳ１，Ｓ３１，Ｓ３２，Ｓ４の各機能を説明するためのスイッチ機能説明部７，８，９，１０が設けられている。
表示部６は、表示部６における１２時方向に位置するドットマトリクス表示領域６Ａと、この表示部６における６時方向に位置するセグメント表示領域６Ｂと、を有している。ドットマトリクス表示領域６Ａには、脈波の波形やピッチの波形、動作モードのアナウンス等とともに、脈拍を計測する際に、ユーザのユーザ識別用情報（例えば、性別、年齢、身長及び体重）の入力を要求するアナウンスがグラフィック表示される。また、セグメント表示領域６Ｂには、時刻、脈拍数、ピッチ、及び、後述する充電パラメータ、通信状態パラメータ等の情報とともに、上記ユーザ識別用情報を入力する際の数値がセグメント表示される。
【００１６】
スイッチ機能説明部７は、スイッチＳ１の機能を簡潔に説明するためのスイッチ機能説明部であり、例えば、「セットアップ」の文字が記されている。同様に、スイッチ機能説明部８には、例えば、「ＵＰ／ライト」の文字が記されており、スイッチ機能説明部９には、例えば、「ＤＯＷＮ／結果表示」の文字が記されており、スイッチ機能説明部１０には、例えば、「開始／停止」の文字が記されている。
また、装置本体２の内部には、ピッチを求めるための体動センサ１１と、ケーブル５が接続された図示しない制御基板が内蔵されている。
【００１７】
図４に示すように、装置本体２の一方の側縁部Ｇ１には、ケーブル貫通孔１２が形成されており、このケーブル貫通孔１２からケーブル５の一端が延出している。また、装置本体２の同じ側縁部Ｇ１には、セットアップの開始指示や動作モードの変更指示を行うためのスイッチＳ１が設けられている。このスイッチＳ１は、９時方向に押圧されたときに作動する。
【００１８】
また、他方の側縁部Ｇ２には、時刻、上限脈拍数もしくは上記生体情報等の各種数値を設定する時にカウントアップキーとして機能し、数値設定以外のときは、表示部６をライトアップするためのスイッチとして機能するスイッチＳ３１と、各種数値設定時にカウントダウンキーとして機能し、数値設定以外のときは、脈拍数等の測定結果を表示部６に表示するためのスイッチＳ３２とが設けられている。
上記構成において、ユーザは、例えば、時刻を設定する際は、スイッチＳ１を９時方向に押圧することによって、動作モードを時刻セットアップモードにした後、スイッチＳ３１，Ｓ３２を選択的に３時方向に押圧して時刻の設定を行う。
また、ユーザ識別用情報を入力する際は、スイッチＳ１を９時方向に押圧することによって、動作モードをユーザ識別用情報入力モードにした後、スイッチＳ３１，Ｓ３２を選択的に３時方向に押圧して、性別、年齢、身長、体重の各種データの入力を行う。
【００１９】
さらに側縁部Ｇ２の略中央であるスイッチＳ３１とスイッチＳ３２の間には、充電用端子１３及び通信用端子１４が設けられており、装置本体２が、図１に示す専用のクレードル２０に装着されたときに、これらの端子を介して装置本体２と電気的に接続される構成となっている。そして、クレードル２０に装着された際には、装置本体２は、充電用端子１３を介して電力の供給を受け、装置本体２に内蔵されている図示しない充電池の充電を行う。また、上述したように、クレードル２０にコンピュータ２１が直接あるいはネットワーク２３を介して接続されている場合、装置本体２は、通信用端子１４を介して、このコンピュータ２１と通信を行うことができるようになっている。
本実施形態においては、側縁部Ｇ２に充電用端子１３及び通信用端子１４を設けているため、クレードル２０と装置本体２を接続する際、リストバンド３やケーブル５が邪魔になることなく接続することができる。
【００２０】
さらにまた正面部１５の６時方向の側縁部Ｇ３の略中央には、脈拍やピッチ等の生体情報の計測を開始／停止するためのスイッチＳ４が設けられている。このスイッチＳ４は、１２時方向に押圧されたときに作動する。このスイッチＳ４を押圧すれば、脈拍の計測やピッチの計測等の脈拍数計測装置１の基本的な機能を実行することができるため、スイッチＳ４は、装置本体２に設けられたスイッチの中で、最も重要かつ頻繁に押圧されるスイッチである。したがって、スイッチＳ４は、他のスイッチＳ１，Ｓ３１，Ｓ３２よりも目立たせるべく、比較的大きく形成されており、さらに、他のスイッチとは異なる色で形成されている。これにより、ユーザは、スイッチＳ４が重要なスイッチであることを感覚的に理解しやすい。さらに、スイッチＳ４は、側縁部Ｇ３という場所的に最もユーザが操作しやすい箇所に設けられている。
【００２１】
図５は、生体センサユニットの構成を模式的に示す一部断面図である。
生体センサユニット４は、図５示すように、脈波を検出するための脈波検出機構４０と、この脈波検出機構４０の両側に配置されたアース電極４１と、脈波検出機構４０をユーザの指に固定するためのセンサ固定用バンド４２とを有しており、センサ固定用バンド４２がユーザの指の根元に巻き回されている。なお、センサ固定用バンド４２は、脈波検出機構４０に覆い被さった状態で巻き回されており、脈波検出機構４０に侵入する外光を遮断している。
【００２２】
脈波検出機構４０は、ケーブル５が接続された回路基板４３と、この回路基板４３に実装された、発光波長領域が３００ｎｍ〜７００ｎｍまでの範囲にあるＬＥＤ４４と、回路基板に実装された、受光波長領域が７００ｎｍ以下のフォトトランジスタ４５と、上面を塞ぐガラス板４６とを有している。
脈波検出機構４０は、ＬＥＤ４４から血管に向けて光を照射し、血管から反射してきた光をフォトトランジスタ４５にて受光することにより脈波を検出している。この脈波の検出にあたって、本実施形態では、発光波長領域が３００ｎｍ〜７００ｎｍまでの範囲にあるＬＥＤ４４と、回路基板に実装された、受光波長領域が７００ｎｍ以下のフォトトランジスタ４５とを用いている。これにより、外光に含まれる光のうち、波長領域が７００ｎｍ以下の光は、指を導光体としてフォトトランジスタ４５にまで到達しない一方、３００ｎｍ以下の光は、皮膚表面でそのほとんどが吸収されるため、外光の直射の影響を受けることなく脈波の検出を行うことができる。
【００２３】
また、脈波は、アース電位を基準電位として検出されているが、本実施形態では、アース電極４１を脈波検出機構４０の両側に設けることにより、脈波検出部位の一定位置において生体アース電位を設定し、アース電極の電位の安定化を図っている。また、センサ固定用バンド４２は、導電性部材により形成されており、アース電極４１，４１と接続されている。このため、センサ固定用バンド４２は、脈波検出機構４０へのノイズの侵入を防止するシールド部材として兼用されている。
【００２４】
上述したように、生体センサユニット４は、ユーザの指の根元に装着されるが、本実施形態に係る生体センサユニット４は、指の中でも、特に、ユーザの小指又は薬指の根元に装着される。これにより、以下の効果が得られる。
すなわち、図３及び図４に示すように、ケーブル５は、装置本体２において、薬指及び小指に最も近い側縁部Ｇ１から延出しているため、生体センサユニット４を薬指又は小指の根元に装着した場合、ケーブル５の長さが短くて済み、かつ、ケーブル５のたるみや、ゆるみ等を防止できる。さらに、脈拍数計測装置１を左手首に装着したまま、右手の指で装置本体２の各スイッチを押圧する際、右手の指は、ケーブル５と交差することなく、各スイッチを押圧することが可能なため、操作中に誤ってケーブル５を引っ張ってしまい、ノイズが発生したり、ケーブル５を切断してしまったりすることがない。
【００２５】
また、日常生活において、薬指及び小指は、他の指と比較して指を動かす機会が少ない。したがって、生体センサユニット４を薬指及び小指に装着することにより、ケーブル５の屈曲回数を減少させることができる。ケーブル５の屈曲回数が多い場合、屈曲によるケーブルの損傷に備えて、ケーブル５を太く設計する必要があるが、本実施形態に係るケーブル５は、上述の理由により屈曲回数が少ないため、ケーブル５を細く設計することができ、収納性、装着感を向上することができる。加えて、ユーザが親指先端と中指を無意識に接触させる動作（たとえば、指笛を発生させる動作）等のユーザが意識せずに行う指の動作をした場合によって、ケーブルが損傷するのを防止できる。
さらに、生体センサユニット４を装着した指の動きは、体動によるノイズの発生原因となるが、薬指又は小指は、他の指と比較して指の動きが少ないため、生体センサユニット４を薬指又は小指に装着することにより、体動によるノイズの発生を抑えることができる。
【００２６】
図６は、脈拍数計測装置の機能ブロック図である。
図６において、ＣＰＵ５０は、脈拍数計測装置１の各部の動作を制御する他、生体センサユニット４からの信号に基づく脈拍数演算処理や、体動センサ１１からの信号に基づくピッチ演算処理等の各種演算処理を実行する。
ＲＯＭ５１は、例えば、ＥＥＰＲＯＭ等の書き換え可能なメモリであり、ＣＰＵ５０によって実行される制御プログラムや、検出した脈拍数に係る脈拍数データ及びユーザのユーザ識別用情報、後述する体動監視フラグ等の各種データを不揮発的に記憶する。ＲＡＭ５２は、ＣＰＵ５０のワークエリアとして用いられ、ＣＰＵ５０による演算結果や各種データを一時的に記憶する。
【００２７】
クロック回路５３は、所定周波数（例えば３２．７６８ｋＨｚ）のクロック信号を出力する発振回路５４と、発振回路５４からのクロック信号を分周して１Ｈｚのクロック信号をＣＰＵ５０に出力する分周回路５５とを備えており、ＣＰＵ５０は、１Ｈｚのクロック信号に基づき、計時処理を行う。
入力部５６は、上述したスイッチＳ１，Ｓ３１，Ｓ３２，Ｓ４に対応するものであり、ユーザの各スイッチ操作に応じた信号をＣＰＵ５０に出力する。表示部６は、上述したようにドットマトリクス表示領域６Ａとセグメント表示領域６Ｂとを有し、ＣＰＵ５０の制御の下、各種情報を表示する。通信部５７は、ＣＰＵ５０の制御の下、通信用端子を介して接続された外部機器と、データの送受信を行う。
【００２８】
脈波信号増幅回路５８は、生体センサユニット４が検出した脈波に係る信号を増幅して脈波波形整形回路５９及びＡ／Ｄ変換回路６０に出力する。脈波波形整形回路５９は、脈波信号増幅回路５８が出力した脈波信号を整形し、ＣＰＵ５０に出力する。
Ａ／Ｄ変換回路６０は、脈波信号増幅回路５８が出力した脈波信号、及び、体動信号増幅回路６１が出力した体動信号をＡ／Ｄ変換し、ＣＰＵ５０に出力する。体動信号増幅回路６１は、体動センサ１１が検出した体動に係る信号を増幅して体動波形整形回路６２及びＡ／Ｄ変換回路６０に出力する。体動波形整形回路６２は、体動信号増幅回路６１が出力した体動信号を整形し、ＣＰＵ５０に出力する。
【００２９】
次に、脈拍数計測装置１の動作について説明する。
図７は、脈拍数計測装置１の動作を示すフローチャートである。
この場合において、脈拍計測を開始する前に、ユーザは、スイッチスイッチＳ１，Ｓ３１，Ｓ３２，Ｓ４を用いて、自己の性別、年齢、身長及び体重を脈拍数計測装置１に入力しておくものとする。
【００３０】
ＣＰＵ５０は、ユーザによってスイッチＳ４が操作され、脈拍測定開始指示がなされたことを検出すると（ステップＳ１）、Ａ／Ｄ変換回路６０に制御信号を送信し、体動信号のＡ／Ｄ変換を行わせ、変換された体動信号を取得する（ステップＳ２）。
ＣＰＵ５０は、ステップＳ２にて取得した体動信号を分析し、脈拍測定が可能であるか否かを判断する。すなわち、現在の体動のレベルが、この脈拍測定可能体動レベルを超えていない場合は正常に脈拍を測定することができ、このレベルを超えている場合は脈拍の測定を不可とするために、脈拍測定が可能な体動のレベルを予め設定しておき、体動信号から求めた現在の体動のレベルが、この脈拍測定可能体動レベルを超えているか否かを判断する（ステップＳ３）。
ステップＳ３の判別において、脈拍測定ができない場合（ステップＳ３：ＮＯ）、ＣＰＵ５０は、Ａ／Ｄ変換回路６０に制御信号を送信し、体動信号のＡ／Ｄ変換を停止すると共に、体動信号の取得を停止し（ステップＳ４）、ステップＳ１２へ移行する。
【００３１】
一方、ステップＳ３の判別において、脈拍測定が可能な場合（ステップＳ３：ＹＥＳ）、ＣＰＵ５０は、ＲＯＭ５１に記憶されている体動監視フラグをリセットする（ステップＳ５）。ここで、体動監視フラグとは、上記脈拍測定可能体動レベルを超えた体動のレベルをＣＰＵ５０が検知したか否かを判断するためのフラグである。
ＣＰＵ５０は、体動信号が入力されている間は、絶えず、現在の体動のレベルと脈拍測定可能体動レベルを比較しており、脈拍測定可能体動レベルを超えた体動のレベルを検知した場合、この体動監視フラグをセットすることとなる。
ステップＳ５において、体動監視フラグをリセットした後、ＣＰＵ５０は、Ａ／Ｄ変換回路６０に制御信号を送信し、脈波信号のＡ／Ｄ変換を行わせ、変換された脈波信号を取得する（ステップＳ６）。
さらに、ＣＰＵ５０は、取得した脈波信号を高速フーリエ変換処理によって周波数分析を行い、脈波成分を抽出し、この脈波成分から脈拍数を算出する（ステップＳ７）。
【００３２】
ステップＳ７において脈拍数を算出した後、ＣＰＵ５０は、体動監視フラグがセットされているか否かを判断する（ステップＳ８）。ここで行っている判断は、ステップＳ６及びステップＳ７の処理を実行中に、脈拍測定可能体動レベルを超える体動のレベルを検出したか否かの判断である。
【００３３】
体動監視フラグがセットされている場合（ステップＳ８：ＹＥＳ）、ＣＰＵ５０は、脈拍数のＲＯＭ５１への記憶、及び、脈拍数の表示部６への表示を禁止し、Ａ／Ｄ変換回路６０に制御信号を送信し、脈波信号のＡ／Ｄ変換を停止すると共に、脈波信号の取得を停止し（ステップＳ１１）、ステップＳ１２へ移行する。
一方、体動監視フラグがセットされていない場合（ステップＳ８：ＮＯ）、ＣＰＵ５０は、ステップＳ７で算出した脈拍数を、現在時刻と共に、ＲＯＭ５１に記憶する（ステップＳ９）。さらに、ＣＰＵ５０は、表示部６のドットマトリクス表示領域６Ａに脈波の波形をグラフィック表示すると共に、脈拍数をセグメント表示領域６Ｂにセグメント表示する（ステップＳ１０）。
【００３４】
ここで、図８は、表示部６に脈拍数及び脈波の波形を表示した際の表示態様の一例を示す図である。この図に示すように、表示部６において、ドットマトリクス表示領域６Ａに脈波の波形が表示され、直近の脈拍数がセグメント表示領域に表示されており、表示部６を見ることにより、ユーザは、現在の脈拍数及び、脈波の経緯を簡単に参照することができる。また、ケーブル５の延長線上に脈波の波形が表示されているため、この波形が、ケーブル５から送られてきたデータを基とした脈波の波形であることを感覚的に理解しやすく、また、データを目で追いやすい。
【００３５】
表示部６への表示後（ステップＳ１０）、ＣＰＵ５０は、Ａ／Ｄ変換回路６０に制御信号を送信し、脈波信号のＡ／Ｄ変換を停止すると共に、脈波信号の取得を停止し（ステップＳ１１）、ステップＳ１２へ移行する。
続いて、ＣＰＵ５０は、ユーザによってスイッチＳ４が操作され、脈拍測定停止指示がなされたか否かを判断する（ステップＳ１２）。脈拍測定停止指示があった場合（ステップＳ１２：ＹＥＳ）、ＣＰＵ５０は、脈拍測定を終了する。脈拍測定停止指示がなされていない場合（ステップＳ１２：ＮＯ）、ＣＰＵ５０は、ステップＳ２へ移行し、再び脈拍の測定を行う。
【００３６】
このように、脈拍数の測定の際、ＣＰＵ５０は、現在の脈拍数のみならず、現在の脈拍数の変化状態までも含めて表示を行うので、ユーザは、適正な運動状態を容易に維持した状態で適正な運動量の運動を行うことができる。
この場合に、脈拍測定可能体動レベル以上の体動レベルを検出したときは、脈拍測定が不可能とみなし、脈拍数のＲＯＭ５１への記憶、及び、脈拍数の表示部６への表示を行わない。このため、信頼性の高い脈拍数の記録のみをＲＯＭ５１に記憶することができ、また、精度の高い脈拍数のみが表示部６に表示されるので、ユーザは、日常生活中や運動中、表示部６を参照することにより正しい脈拍数を参照することができる。
【００３７】
次に、脈拍数計測装置１の充電時における動作について説明する。
図９は、充電中の装置本体の表示状態の説明図である。
ユーザは、脈拍数計測装置１の充電を行う際は、装置本体２を専用のクレードルに装着すると共に、充電用端子１３と、クレードルに設けられているクレードル側充電用端子とを接続する。充電用端子１３とクレードル側端子が接続されると、自動的に、装置本体２に内蔵されている充電池（不図示）の充電が開始される。
【００３８】
充電中は、図９に示すように、セグメント表示領域６Ｂ内の９時方向に充電パラメータ８２が表示され、現在充電がどれだけ完了しているかを示すと共に、ドットマトリクス表示領域６Ａに「Ｃｈａｒｇｅ」の文字をグラフィック表示し、充電中であることを明示する。上記充電パラメータ７０は、充電用端子１３に近い箇所に表示されているため、このパラメータが充電の状態を表していることを感覚的に理解しやすく、例えば、マニュアル等を参照して何を表しているのかを調べる必要がない。
【００３９】
次に、脈拍数計測装置１の通信時における動作について説明する。
図１０は、コンピュータ２１との通信中における装置本体の表示状態の説明図である。
ユーザは、脈拍数計測装置１と、コンピュータ２１との間でデータの送受信を行う際は、専用のクレードル２０とコンピュータ２１とを通信可能に接続した後、クレードル２０に装置本体２を装着すると共に、通信用端子１４とクレードル２０に設けられているクレードル側通信用端子（図示略）とを接続することにより、脈拍数計測装置１とコンピュータ２１とを通信可能な状態にする。
【００４０】
ここで、脈拍数計測装置１とコンピュータ２１との間でやり取りするデータには、ＲＯＭ５１に記憶されている生体情報としての脈拍数に係るデータやピッチに係るデータ等に加えてユーザのユーザ識別用情報がある。コンピュータ２１は、脈拍数計測装置１から生体情報およびユーザ識別用情報を受信すると、これらを記憶装置３５に記憶、蓄積し、ユーザの指示の下、統計を取る処理を行ったり、詳細に分析しその分析結果をユーザに提示する処理を行ったりすることができる。
通信中は、図１０に示すように、セグメント表示領域６Ｂ内の９時方向に通信状態パラメータ８１が表示され、現在の通信状態をパラメータ表示すると共に、ドットマトリクス表示領域６Ａに「ＬＩＮＫ」の文字をグラフィック表示し、通信中であることを明示する。上記通信状態パラメータ８１は、通信用端子１４に近い箇所に表示されているため、このパラメータが現在の通信状態を表していることを感覚的に理解しやすく、マニュアル等を参照して何を表しているのかを調べる必要がない。
【００４１】
図１１及び図１２は、コンピュータ２１が脈拍数計測装置１からユーザ識別用情報を受信した際に、この受信したユーザ識別用情報に対応するユーザ候補者を抽出する動作を示すフローチャートである。
脈拍数計測装置１が専用のクレードル２０に接続されると、コンピュータ２１のＣＰＵ３１は、プログラムを実行して、脈拍数計測装置１のＲＯＭ５１に記憶されたユーザの脈拍数データとユーザ識別用情報とを受信する（ステップＳ２１）。
次に、ＣＰＵ３１は、記憶装置３５に記憶された複数のユーザの中から任意に１人のユーザを選択し、このユーザに対応づけられたユーザ識別用情報である記憶済ユーザ識別用情報を読み出す（ステップＳ２２）。そして、ＣＰＵ３１は、この読み出した記憶済ユーザ識別用情報と受信したユーザ識別用情報との比較を行う。この場合、この比較する際の判断処理を高速とするため、ユーザ識別用情報のうち、時間経過に伴って変化しないもの、もしくは、時間経過に伴う変化が少ないと考えられるもの、すなわち、性別→年齢→身長及び体重の順に行うことが望ましい。このため、本実施形態では、ＣＰＵ３１は、まず比較対象の記憶済ユーザ識別用情報と受信したユーザ識別用情報に含まれる性別が同一であるか否かを判別する（ステップＳ２３）。
この判別において、両者の性別が同一でない場合（ステップＳ２３；Ｎｏ）には、ＣＰＵ３１は処理をステップＳ２２に戻し、記憶装置３５から新たに１人のユーザを選択し、このユーザに対応する記憶済ユーザ識別用情報を読み出す。
一方、両者の性別が同一の場合（ステップＳ２３；Ｙｅｓ）には、ＣＰＵ３１は、両者の年齢が同一、もしくは、受信した年齢Ａ２が読み出された年齢Ａ１よりも＋１歳であるか否かを判別する（ステップＳ２４）。この判別で、受信した年齢Ａ２が読み出された年齢Ａ１よりも＋１歳である条件を付加しているのは、同一人物であっても測定時期と誕生日との関係で年齢が１つ加算される場合があるからである。
【００４２】
この判別において、比較対象の記憶済ユーザ識別用情報と受信したユーザ識別用情報に含まれる年齢が同一、もしくは、受信した年齢Ａ２が読み出された年齢Ａ１よりも＋１歳という条件を満たさない場合（ステップＳ２４；Ｎｏ）には、ＣＰＵ３１は処理をステップＳ２２に戻し、記憶装置３５から新たに１人のユーザを選択し、このユーザに対応する記憶済ユーザ識別用情報を読み出す。
一方、比較対象の記憶済ユーザ識別用情報と受信したユーザ識別用情報に含まれる年齢が同一、もしくは、受信した年齢Ａ２が読み出された年齢Ａ１よりも＋１歳という条件を満たす場合（ステップＳ２４；Ｙｅｓ）には、ＣＰＵ３１は、読み出された記憶済ユーザ識別用情報が計測された日Ｔ２から、今回受信したユーザ識別用情報が計測された日Ｔ１が所定日数（例えば３０日）以内であるか否か（すなわちＴ２−Ｔ１≦３０を満たすか否か）を判別する（ステップＳ２５）とともに、受信した年齢Ａ２が所定年齢（例えば２０歳）以下であるか否か（Ａ２≦２０）を判別（ステップＳ２６）し、身長及び体重を比較する際の比較条件を決定する。
このように、前回計測日からの経過期間及びユーザの年齢によって比較条件を変更するのは、前回の計測日から経過した期間が長ければ長いほど、ユーザ識別用情報（特に体重）の変化の度合いが大きくなるからである。また、ユーザの年齢が２０歳以下の場合には、身体の成長が著しく、成人に比べてユーザ識別用情報（身長および体重）の変化の度合いが大きくなるためである。
【００４３】
具体的には、Ｔ２−Ｔ１≦３０（ステップＳ２５；Ｙｅｓ）かつＡ２≦２０（ステップＳ２６；Ｙｅｓ）の場合には、ＣＰＵ３１は、受信したユーザ識別情報に対応する身長Ｈ２及び体重Ｗ２が、記憶済ユーザ識別情報として読み出された身長Ｈ１及び体重Ｗ１に対して、以下に示すような第１の所定条件を満たしているか否かを判別する（ステップＳ２７）。
本実施形態では、第１の所定条件として、例えば、｜Ｈ２−Ｈ１｜≦２ｉｎｃｈ［身長基準変化範囲に相当］、かつ、｜Ｗ２−Ｗ１｜≦Ｗ２×３（％）［体重基準変化範囲に相当］の条件を用いる。この判別において、第１の所定条件を満たさない（ステップＳ２７；Ｎｏ）場合には、ＣＰＵ３１は処理をステップＳ２２に戻し、記憶装置３５から新たに１人のユーザを選択し、このユーザに対応する記憶済ユーザ識別用情報を読み出す。
一方、第１の所定条件を満たす（ステップＳ２７；Ｙｅｓ）場合には、ＣＰＵ３１は、このユーザ識別用情報が対応づけられたユーザを候補者ユーザとして、リストに登録（ステップＳ２８）して、処理をステップＳ３２に移行する。
【００４４】
また、Ｔ２−Ｔ１≦３０（ステップＳ２５；Ｙｅｓ）かつＡ２＞２０（ステップＳ２６；Ｎｏ）の場合には、ＣＰＵ３１は、受信したユーザ識別情報に対応する身長Ｈ２及び体重Ｗ２が、読み出された記憶済ユーザ識別情報に対応する身長Ｈ１及び体重Ｗ１に対して、以下に示すような第２の所定条件を満たしているか否かを判別する（ステップＳ２９）。
本実施形態では、第２の所定条件として、例えば、｜Ｈ２−Ｈ１｜≦１ｉｎｃｈ、かつ、｜Ｗ２−Ｗ１｜≦Ｗ２×２（％）の条件を用いる。この第２の所定条件では、ユーザの年齢が２０歳より大きく、前回計測日から３０日経過していないため、この期間におけるユーザ識別用情報の変化の度合いは小さいと想定されるため、上記した身長基準変化範囲および体重基準変化範囲よりも身長及び体重の変化として許容する幅を小さく設定している。この判別において、第２の所定条件を満たさない（ステップＳ２９；Ｎｏ）場合には、ＣＰＵ３１は処理をステップＳ２２に戻し、記憶装置３５から新たに１人のユーザを選択し、このユーザに対応する記憶済ユーザ識別用情報を読み出す。
一方、第２の所定条件を満たす（ステップＳ２９；Ｙｅｓ）場合には、ＣＰＵ３１は、このユーザ識別用情報が対応づけられたユーザを候補者ユーザとしてリストに登録（ステップＳ２８）して、処理をステップＳ３２に移行する。
【００４５】
また、Ｔ２−Ｔ１＞３０（ステップＳ２５；Ｎｏ）かつＡ２≦２０（ステップＳ２６；Ｙｅｓ）の場合には、ＣＰＵ３１は、受信したユーザ識別用情報に対応する身長Ｈ２及び体重Ｗ２が、読み出された記憶済ユーザ識別用情報に対応する身長Ｈ１及び体重Ｗ１に対して、以下に示すような第３の所定条件を満たしているか否かを判別する（ステップＳ３０）。
本実施形態では、第３の所定条件として、例えば、｜Ｈ２−Ｈ１｜≦３ｉｎｃｈ、かつ、｜Ｗ２−Ｗ１｜≦Ｗ２×５（％）を用いる。この第３の所定条件では、ユーザの年齢が２０歳以下であり、前回計測日から３０日以上経過しているため、この期間におけるユーザ識別用情報の変化の度合いが大きいと想定されるため、上記した身長基準変化範囲および体重基準変化範囲に比べて身長及び体重の変化として許容する幅を大きく設定している。この判別において、第３の所定条件を満たさない（ステップＳ３０；Ｎｏ）場合には、ＣＰＵ３１は処理をステップＳ２２に戻し、記憶装置３５から新たに１人のユーザを選択し、このユーザに対応する記憶済ユーザ識別用情報を読み出す。
一方、第３の所定条件を満たす（ステップＳ３０；Ｙｅｓ）場合には、ＣＰＵ３１は、このユーザ識別用情報が対応づけられたユーザを候補者ユーザとしてリストに登録（ステップＳ２８）して、処理をステップＳ３２に移行する。
【００４６】
また、Ｔ２−Ｔ１＞３０（ステップＳ２５；Ｎｏ）かつＡ２＞２０（ステップＳ２６；Ｎｏ）の場合には、ＣＰＵ３１は、受信したユーザ識別用情報に対応する身長Ｈ２及び体重Ｗ２が、読み出された記憶済ユーザ識別用情報に対応する身長Ｈ１及び体重Ｗ１に対して、以下に示すような第４の所定条件を満たしているか否かを判別する（ステップＳ３１）。
本実施形態では、第４の所定条件として、例えば、｜Ｈ２−Ｈ１｜≦１ｉｎｃｈ、かつ、｜Ｗ２−Ｗ１｜≦Ｗ２×５（％）を用いる。この第４の所定条件では、ユーザの年齢が２０歳よりも大きいものの、前回計測日から３０日以上経過しているため、この期間におけるユーザ識別用情報の変化の度合いは身長よりも体重の方が大きいと想定されるため、上記した体重基準変化範囲よりも体重の変化として許容される幅を大きく設定している。この判別において、第４の所定条件を満たさない（ステップＳ３１；Ｎｏ）場合には、ＣＰＵ３１は処理をステップＳ２２に戻し、記憶装置３５から新たに１人のユーザを選択し、このユーザに対応する記憶済ユーザ識別用情報を読み出す。
一方、第３の所定条件を満たす（ステップＳ３１；Ｙｅｓ）場合には、ＣＰＵ３１は、このユーザ識別用情報が対応づけられたユーザをユーザ候補者としてリストに登録（ステップＳ２８）して、処理をステップＳ３２に移行する。
【００４７】
続いて、ＣＰＵ３１は、記憶装置３５に記憶されているすべてのユーザが選択され、このユーザに対応する記憶済ユーザ識別用情報が読み出されたか否かを判別する（ステップＳ３２）。この判別において、すべてのユーザに対応する記憶済ユーザ識別用情報が読み出されていない（ステップＳ３２；Ｎｏ）場合には、処理をステップＳ２２に戻し、記憶装置３５から新たに１人のユーザを選択し、このユーザに対応する記憶済ユーザ識別用情報を読み出す。
一方、すべてのユーザに対応する記憶済ユーザ識別用情報が読み出された（ステップＳ３２；Ｙｅｓ）場合には、ＣＰＵ３１は、受信したユーザ識別用情報に対する処理は完了したもの判断し、上記ステップＳ２８で登録されたユーザ候補者名のリスト８０を表示部３８に表示する（ステップＳ３３）。このリスト８０には、図１３に示すように、ユーザ候補者の名前８０Ａ、性別８０Ｂ、年齢８０Ｃ、身長８０Ｄおよび体重８０Ｅが表示されている。
ここで、ＣＰＵ３１は、リスト８０に登録（抽出）されたユーザ候補者が２人以上いる場合には、受信したユーザ識別用情報とユーザ候補者のユーザ識別用情報との適合度が高い順に当該ユーザ候補者名を表示する。具体的には、受信したユーザ識別用情報と記憶装置３５から読み出した記憶済ユーザ識別用情報とを比較する際に、項目ごとに適合度を数値化して判定し、この結果に基づいて総合的な適合度の高さ判定すれば良い。
【００４８】
続いて、ＣＰＵ３１は、情報管理者（例えば、医師、看護士、リハビリ施設の職員等）に表示部３８に表示されたユーザ候補者の中から１名を選択させる（ステップＳ３４）。具体的には、表示部３８にユーザ候補者名のリスト８０を表示するとともに、「このリストの中から１名を選択してください」とのメッセージを表示して、情報管理者に選択を促す。情報管理者は、リスト８０のユーザ候補者に対応して形成された選択ボタン８５を入力部３６を介してクリック操作等することにより１名を選択する。
ここで、情報管理者には、予め脈拍数計測装置１を使用したユーザ名が別紙等で連絡されていることが望ましい。これによれば、情報管理者は、この別紙に記載されたユーザ名をリスト８０の中から探し出して選択すれば良いため、選択操作のミスの発生を抑制することができる。また、本実施形態では、ユーザ候補者が２人以上いる場合には、受信したユーザ識別用情報とユーザ候補者の記憶済ユーザ識別用情報との適合度が高い順に当該ユーザ候補者名を表示しているため、情報管理者は容易にユーザを探しだして選択することができる。
【００４９】
続いて、ＣＰＵ３１は、選択されたユーザ候補者に対応づけて、受信した生体情報を記憶装置３５に記憶し（ステップＳ３５）、処理を終了する。この場合、受信したユーザ識別用情報は、選択されたユーザ候補者の記憶済ユーザ識別用情報を更新して記憶するようにすればよい。
【００５０】
以上の説明のように、本実施形態によれば、ユーザ識別用情報を受信した場合、ＣＰＵ３１が受信したユーザ識別用情報と記憶装置３５に記憶された記憶済ユーザ識別用情報とを比較し、この比較結果に基づいて受信したユーザ識別用情報に対応するユーザとして推定されるユーザ候補者を記憶装置３５から抽出するため、脈拍数計測装置１に上記ユーザ識別用情報に対応するユーザ名等の個人情報を入力しなくても、抽出されたユーザ候補者の中から当該ユーザを容易に特定することが可能となる。従って、脈拍数計測装置１にユーザ名を入力する必要がなくなるため、当該脈拍数計測装置１への入力作業の簡素化を図ることができる。さらに、この脈拍数計測装置１に記憶された脈拍数、性別、年齢、身長および体重の情報を他のユーザが見た場合であっても、脈拍数計測装置１では、他のユーザがこの情報からユーザ名を特定することはできないため、個人情報の保護を図ることができる。
【００５１】
また、本実施形態によれば、ＣＰＵ３１は、抽出されたユーザ候補者を表示部３８に表示させるとともに、この表示されたユーザ候補者の中からいずれかを情報管理者に選択させ、この選択されたユーザ候補者に対応づけて、受信した生体情報を記憶装置３５に記憶させるため、別のユーザを誤って選択することが少なくなり、脈拍数計測装置１から脈拍数のデータをコンピュータ２１に転送する場合に、この転送されたデータを別のユーザに入力するといった誤操作を抑制でき、入力作業の簡素化を図ることができる。
【００５２】
また、本実施形態によれば、ユーザ候補者が複数抽出された場合には、ＣＰＵ３１は、比較結果に基づいて、受信したユーザ識別用情報とユーザ候補者の記憶済ユーザ識別用情報との適合度が高い順に、当該ユーザ候補者を表示部３８に表示させるため、情報管理者がユーザをより正確に選択することが可能となる。また、本実施形態によれば、ＣＰＵ３１は、ユーザ識別用情報として受信した性別、年齢、身長、体重に関する比較結果に基づいて、ユーザ候補者を抽出するため、脈拍数計測装置１に特別な情報を入力する必要が無く、入力作業を簡素化できる。
【００５３】
また、本実施形態によれば、ＣＰＵ３１は、受信したユーザ識別用情報と記憶装置３５に記憶された記憶済ユーザ識別用情報とを比較する場合、時間経過に伴う変化量の少ない順に比較するため、比較する際の処理を高速に行うことができる。
【００５４】
また、本実施形態によれば、コンピュータ２１は、抽出されたユーザ候補者に関する情報を出力する出力部３７を備えるため、ユーザ候補者に関する情報を印刷物などとして確実に把握することができる。
【００５５】
また、本実施形態によれば、ＣＰＵ３１は、受信したユーザ識別用情報と記憶装置３５に記憶されたユーザ識別用情報とを比較する場合、時間経過に伴う変化が少ないと考えられる性別→年齢→身長あるいは体重の順に比較するため、より迅速に比較処理を行うことができる。
【００５６】
また、本実施形態によれば、ＣＰＵ３１は、身長あるいは体重を比較するに際し、前回の計測日からの経過時間およびユーザの年齢に基づいて、ユーザ候補者として判別する際の条件を変更するため、身長の伸びやすい時期、体重の増減しやすい時期に応じてより確実に比較処理を行って、ユーザ候補者を抽出することが可能となる。
【００５７】
また、本実施形態によれば、ＣＰＵ３１は、受信したユーザ識別用情報に基いて、記憶装置３５に記憶された記憶済ユーザ識別用情報を更新して、当該記憶装置３５に記憶させるため、常に記憶済みユーザ識別用情報を最新の状態としておくことができ、より確実にユーザ候補者を抽出することができる。
【００５８】
以上の説明では、性別、年齢、身長、体重に関する比較結果に基づいてユーザ候補者を抽出していたが、少なくとも、性別および年齢に関する比較結果に基づいてユーザ候補者を抽出する構成としても良い。これによれば、比較する際の処理をより高速に実行することができる。
【図面の簡単な説明】
【００５９】
【図１】本実施形態に係る生体情報管理システムの構成を示す概略図である。
【図２】生体情報管理装置の構成を示すブロック図である。
【図３】脈拍数計測装置の使用状態における外観説明図である。
【図４】脈拍数計測装置の装置本体の外観正面図である。
【図５】生体センサユニットの構成を模式的に示す一部断面図である。
【図６】脈拍数計測装置の機能ブロック図である。
【図７】脈拍数計測装置の動作を示すフローチャートである。
【図８】脈拍数計測時における表示部の表示内容を示す図である。
【図９】充電中の装置本体の表示状態の説明図である。
【図１０】通信中の装置本体の表示状態の説明図である。
【図１１】受信したユーザ識別用情報からユーザ候補者を抽出する動作を示すフローチャートである。
【図１２】受信したユーザ識別用情報からユーザ候補者を抽出する動作を示すフローチャートである。
【図１３】ユーザ候補者を表示したリストを示す図である。
【符号の説明】
【００６０】
１…脈拍数計測装置（生体情報計測装置）、２…装置本体、３…リストバンド、４…生体センサユニット、５…ケーブル、６…表示部、６Ａ…ドットマトリクス表示領域、６Ｂ…セグメント表示領域、７…スイッチ機能説明部、８…スイッチ機能説明部、９…スイッチ機能説明部、１０…スイッチ機能説明部、１１…体動センサ、２０…クレードル、２１…コンピュータ（生体情報管理装置）、２３…ネットワーク、３１…ＣＰＵ（比較部、抽出部、選択部、表示制御部、記憶制御部）、３２…ＲＯＭ、３３…ＲＡＭ、３４…インタフェース部（受信部）、３５…記憶装置（記憶部）、３６…入力部、３７…出力部、３８…表示部、１００…生体情報管理システム、Ｇ１…側縁部、Ｇ２…側縁部、Ｇ３…側縁部、Ｇ４…側縁部、Ｓ１…スイッチ、Ｓ３１…スイッチ、Ｓ３２…スイッチ、Ｓ４…スイッチ。
【図１】
2008167893.tif 000003
【図２】
2008167893.tif 000004
【図３】
2008167893.tif 000005
【図４】
2008167893.tif 000006
【図５】
2008167893.tif 000007
【図６】
2008167893.tif 000008
【図７】
2008167893.tif 000009
【図８】
2008167893.tif 000010
【図９】
2008167893.tif 000011
【図１０】
2008167893.tif 000012
【図１１】
2008167893.tif 000013
【図１２】
2008167893.tif 000014
【図１３】
2008167893.tif 000015